(57)【要約】【課題】電源電圧の急激な低下を示す検出信号を電源電圧検出回路から受信し、低消費電力化等のオペレーション上での制御信号を制御マイコンから受信し、電源を一時停止する起動制御方式の提供を目的とする。【解決手段】第１制御部１０と、第２制御部２０と、電源電圧検出回路３０と、論理和回路４０とから成り、第１制御部１０は、第２制御部２０の電源供給を制御するための制御信号を、論理和回路４０に入力し、電源電圧検出回路３０は、接続された電源線５０の電圧の検出信号を、論理和回路４０に入力し、論理和回路４０は、制御信号と検出信号との論理和出力を、第２制御部２０へ入力し、第２制御部２０は、論理和出力を基に、該制御部２０の電源の供給を制御する。【選択図】      図１
2007141093.tif 000002
【特許請求の範囲】
【請求項１】
所定の制御部の動作を一時停止し、且つ再起動する起動制御方式であって、
第１制御部と、第２制御部と、電源電圧検出回路と、論理和回路とから成り、
前記第１制御部は、前記第２制御部の動作を制御するための制御信号を、前記論理和回路に入力し、
前記電源電圧検出回路は、接続された電源電圧の検出信号を、前記論理和回路に入力し、
前記論理和回路は、前記制御信号と前記検出信号との論理和出力を、前記第２制御部へ入力し、
前記第２制御部は、前記論理和出力を基に、該制御部の動作状態を制御することを特徴とする起動制御方式。
【請求項２】
前記電源電圧検出回路と、前記論理和回路とが、一つの集積回路に集積化された回路から成ることを特徴とする請求項１に記載の起動制御方式。
【請求項３】
前記第１制御部が、制御マイコンであり、前記第２制御部が、制御マイコン又は特定用途向汎用ＬＳＩであることを特徴とする請求項１又は２に記載の起動制御方式。
【発明の詳細な説明】
【技術分野】
【０００１】
本発明は、装置の動作状態を制御する起動制御方式に係り、詳しくは、電源電圧の低下による誤動作を保護及びオペレーション上での目的で、動作状態を一時停止し、再起動する起動制御方式に関する。
【背景技術】
【０００２】
第１のＩＣ及び第２のＩＣにバックアップの対象となるＲＡＭを備え、第１のＩＣは電源に接続されたバックアップ電圧源からバックアップ電圧が供給され、第１のＩＣに対するバックアップの有無に応じた処理を第２のＩＣにて行う電子回路において、電源とバックアップ電圧源との間に第１のスイッチを設けて、第１のＩＣのバックアップ電圧Ｖｄを第２にＩＣによって検出し、検出バックアップ電圧Ｖｄと予め定められたバックアップ可能な基準電圧Ｖｒとを比較し、Ｖｄ＜Ｖｒのとき第１のＩＣをリセットし、Ｖｄ＞Ｖｒのとき第１のＩＣのリセット信号を出さないで、第１のＩＣのバックアップの有無に応じた処理を行うようにした、電子回路のリセット装置が知られている（例えば特許文献を参照）。
【特許文献１】特開平１０−１３３７８７号公報
【０００３】
一方、制御マイコンを複数搭載する機器、又は制御マイコンと、リセット機能等動作停止端子を持った特定用途向汎用ＬＳＩ（ＡＳＳＰ）とを搭載する機器において、搭載された任意の制御マイコンの汎用ポートを使用して、他の制御マイコン又はＡＳＳＰに動作停止をかけていた。図２は、従来のリセット方式を示すブロック図である。第１制御部１０の制御マイコンは、汎用ポート１１を有し、電源線５０に接続されている。第２制御部２０の制御マイコン又はＡＳＳＰは、動作停止端子２１を有し、同様に電源線５０に接続されている。第１制御部１０の制御マイコンの汎用ポート１１と第２制御部２０の制御マイコン又はＡＳＳＰの動作停止端子２１とは、互いに接続されている。
【０００４】
電源線５０の電圧が、機器の電源立上がり時、又は立下がり時において、最低動作電圧を下回るような電源電圧となる場合、第１制御部１０の制御マイコンは汎用ポート１１を動作させて、第２制御部２０の制御マイコン又はＡＳＳＰの動作停止端子２１へリセット信号を出力する。第２制御部２０の制御マイコン又はＡＳＳＰは、リセット信号を受信すると、動作を停止する。これにより、第２制御部２０の制御マイコン又はＡＳＳＰの不慮のラッチアップによる動作停止、又はメモリのデータ化け等の動作不良を防止していた。ところが、電源電圧が急激に低下した場合は、第１制御部１０の制御マイコンのソフト処理が間に合わず、汎用ポートを制御するまでに時間がかかり、動作不良の防止が間に合わない場合が発生する。
【０００５】
図３は、従来の他のリセット方式を示すブロック図である。図３において、第１制御部１０の制御マイコンの汎用ポート１１と第２制御部２０の制御マイコン又はＡＳＳＰの動作停止端子２１は、接続されず、開放されている。それに替わり、電源電圧検出回路３０が電源線５０に接続され、その電源電圧の検出信号を、第２制御部２０の制御マイコン又はＡＳＳＰの動作停止端子２１へ出力している。
【０００６】
この方式においては、電源電圧の低下に対し、電源電圧検出回路３０は瞬時に応答することができるため、電源電圧の急激な低下に対し、メモリのデータ化け等の動作不良を防止することができる。ところが、第１制御部１０の制御マイコンの汎用ポート１１から、低消費電力化等のオペレーション上での目的で、第２制御部２０の制御マイコン又はＡＳＳＰの動作を一時停止したい場合、汎用ポート１１と動作停止端子２１とは、接続されないため、制御ができなかった。
【発明の開示】
【発明が解決しようとする課題】
【０００７】
本発明は、このような問題を解決するためになされたものであり、電源電圧の急激な低下を示す検出信号を電源電圧検出回路から受信し、低消費電力化等のオペレーション上での制御信号を制御マイコンから受信し、動作を一時停止し、且つ再起動する起動制御方式の提供を目的とする。
【課題を解決するための手段】
【０００８】
本発明の起動制御方式は、所定の制御部の動作を一時停止し、且つ再起動する起動制御方式であって、
第１制御部と、第２制御部と、電源電圧検出回路と、論理和回路とから成り、
前記第１制御部は、前記第２制御部の動作を制御するための制御信号を、前記論理和回路に入力し、
前記電源電圧検出回路は、接続された電源電圧の検出信号を、前記論理和回路に入力し、
前記論理和回路は、前記制御信号と前記検出信号との論理和出力を、前記第２制御部へ入力し、
前記第２制御部は、前記論理和出力を基に、該制御部の動作状態を制御することを特徴とする。
【０００９】
本発明の起動制御方式の前記電源電圧検出回路と、前記論理和回路とが、一つの集積回路に集積化された回路から成ることを特徴とする。
【００１０】
本発明の起動制御方式の前記第１制御部が、制御マイコンであり、前記第２制御部が、制御マイコン又は特定用途向汎用ＬＳＩであることを特徴とする。  
【発明の効果】
【００１１】
本発明によれば、電源電圧の急激な低下を示す検出信号を電源電圧検出回路で生成し、オペレーション上での電源の制御信号を制御マイコンで生成し、これらの信号を受信して動作を一時停止し、且つ再起動できるため、電源電圧の急激な低下などから生じる不慮のラッチアップによる動作停止、又はメモリのデータ化け等の動作不良を防止することができ、且つ使用方法の制約や低消費電力化等、オペレーション上での目的で電源を一時停止することが可能となる。
【発明を実施するための最良の形態】
【００１２】
本発明による起動制御方式の実施の形態について、図を用いて説明する。図１は、本発明による起動制御方式のブロック図である。以下、図２及び図３との共通の部分は省略して説明する。図１における起動制御方式１００は、さらに論理和回路４０を有する。論理和回路４０は、第１制御部１０の制御マイコンが出力する汎用ポート１１の制御信号と、電源電圧検出回路３０が出力する電源線５０の電源電圧の検出信号とを入力とし、その論理和を第２制御部２０の制御マイコン又はＡＳＳＰの動作停止端子２１へ出力する。
【００１３】
電源線５０の電源電圧が急激に低下すると、電源電圧検出回路３０は瞬時に応答し、検出信号を動作停止端子２１へ出力する。第２制御部２０の制御マイコン又はＡＳＳＰは、この検出信号を受信して、動作を一時停止する。電源線５０の電源電圧が再び定常状態に回復すると、電源電圧検出回路３０は、その検出信号を動作停止端子２１へ出力する。第２制御部２０の制御マイコン又はＡＳＳＰは、この検出信号を受信して、一時停止を解除し動作を再開する。これにより、電源電圧の急激な低下に対し、メモリのデータ化け等の動作不良を防止することができる。
【００１４】
また、使用方法の制約や低消費電力化等のオペレーション上での電源の制御を必要とする場合、第１制御部１０の制御マイコンは、動作の一時停止を要求する制御信号を出力する。第２制御部２０の制御マイコン又はＡＳＳＰは、この制御信号を受信して、動作を一時停止する。第１制御部１０の制御マイコンは、所定の時間が経過すると、動作の再開を要求する制御信号を出力する。第２制御部２０の制御マイコン又はＡＳＳＰは、この制御信号を受信して、動作を再び開始する。
【図面の簡単な説明】
【００１５】
【図１】本発明による起動制御方式のブロック図。
【図２】従来のリセット方式のブロック図。
【図３】従来の他のリセット方式のブロック図。
【符号の説明】
【００１６】
１０  第１制御部
１１  汎用ポート
２０  第２制御部
２１  動作停止端子
３０  電源電圧検出回路
４０  論理和回路
５０  電源線
１００  起動制御方式
【図１】
2007141093.tif 000003
【図２】
2007141093.tif 000004
【図３】
2007141093.tif 000005